(57)【要約】【課題】光源から導光体を介して出射される照明光の強度ムラを抑制することのできるライン照明装置、およびライン照明装置を備えた画像読取装置を提供すること。【解決手段】ライン照明装置２は、第１方向Ｘに延在する棒状の導光体３と、導光体３の第１方向Ｘの一方側の端面３５に配置された複数の光源４とを有し、第１側面３１と第２側面３２との間に出射面３０が設けられている。複数の光源４は、第２方向Ｙにおける第１側面３１からの距離が互いに異なる位置に設けられている。第１側面３１において端面３５と出射面３０との間、プリズム状の凸部３８０が第１方向Ｘに沿って複数形成されたプリズム形成領域３８になっており、プリズム形成領域３８と対向する位置には、光散乱性の反射面６１を備えた遮光部材６が設けられている。【選択図】図３
2018046386.tif 000002
【特許請求の範囲】
【請求項１】
第１方向に延在する複数の側面を備えた導光体と、
前記導光体の前記第１方向と交差した端面のうち一方の端面に配置された第１光源と、
遮光部材と、
を有し、
前記導光体は、前記複数の側面のうち、互いに隣り合う第１側面と第２側面との間に前記一方の端面に対して前記第１方向に沿った方向に離間する位置に、前記光源から前記導光体内に入射した光を出射する出射面が配置され、
前記導光体は、前記一方の端面と前記出射面とに挟まれた領域に複数のプリズム状の凸部が前記第１方向に沿うように配置されたプリズム形成領域を備え、
前記複数のプリズム状の凸部の各々は、それぞれ前記第１側面に対して交差する方向に傾斜した第１斜面と第２斜面とを備え、
前記遮光部材は、前記プリズム形成領域と対向する位置に、前記プリズム形成領域に光散乱性の反射面が向くように配置されていることを特徴とするライン照明装置。
【請求項２】
請求項１に記載のライン照明装置において、
前記第１斜面および前記第２斜面のうち、前記一方の端面側に位置する第１斜面が前記第１側面と成す角度は、前記第２斜面が前記第１側面と成す角度より小さいことを特徴とするライン照明装置。
【請求項３】
請求項２に記載のライン照明装置において、
前記第１斜面が前記第１側面と成す第１角度は、２０°から５０°であり、
前記第２斜面が前記第１側面と成す第２角度は、９０°から４５°であることを特徴とするライン照明装置。
【請求項４】
請求項１から３までの何れか一項に記載のライン照明装置において、
前記一方の端面には、前記第１光源に対して前記第１方向と交差する第２方向に沿った前記第１側面とは反対側の位置に第２光源が配置されていることを特徴とするライン照明装置。
【請求項５】
請求項４に記載のライン照明装置において、
前記一方の端面には、前記第２光源に対して前記第２方向に沿った前記第１側面とは反対側の位置に第３光源が配置されていることを特徴とするライン照明装置。
【請求項６】
請求項５に記載のライン照明装置において、
前記第１光源、前記第２光源および前記第３光源のいずれか１つは、青色光を出射する青色光源であり、他の１つは緑色光を出射する緑色光源であり、残りの１つは赤色光を出射する赤色光源であることを特徴とするライン照明装置。
【請求項７】
請求項１から６までの何れか一項に記載のライン照明装置において、
前記導光体は、前記第１側面と対向する位置に光散乱パターンを備えた第３側面が配置されていることを特徴とするライン照明装置。
【請求項８】
請求項１から７までの何れか一項に記載のライン照明装置において、
前記導光体を内側に収容するケースを有し、
前記ケースには、前記出射面と重なる位置に開口部が設けられ、
前記遮光部材は、前記ケースに含まれていることを特徴とするライン照明装置。
【請求項９】
請求項１から８までの何れか一項に記載のライン照明装置と、前記ライン照明装置から出射された照明光の反射光を検出するセンサーと、を有することを特徴とする画像読取装置。
【請求項１０】
請求項９に記載の画像読取装置において、
前記反射光を前記センサーに導く縮小光学系を有することを特徴とする画像読取装置。
【発明の詳細な説明】
【技術分野】
【０００１】
本発明は、ライン照明装置および画像読取装置に関するものである。
【背景技術】
【０００２】
スキャナーや複写機等の画像読取装置では、主走査方向に延在するライン状の照明光をライン照明装置から書類等の媒体に照射しながら、媒体に対する照明光の照射領域を副走査方向に移動させるとともに、媒体からの反射光をセンサーで検出する。
【０００３】
かかるライン照明装置は、図１０に示すように、第１方向Ｘ（主走査方向）延在する棒状の導光体３と、導光体３の第１方向Ｘの一方側の端面３５に配置された複数の光源４とを有しており、導光体３において第１方向Ｘに延在する複数の側面のうち、隣り合う第１側面３１と第２側面３２との間には、導光体３内に入射した光源４からの光を出射する出射面３０が設けられている（特許文献１参照）。ここで、複数の光源４は、第１方向Ｘに直交する第２方向Ｙにおける第１側面３１からの距離が互いに異なる位置に設けられている。例えば、端面３５には、第１側面３１の側から第２方向Ｙに沿って、青色光源４（Ｂ）、緑色光源４（Ｇ）、および赤色光源４（Ｒ）が順に直線的に配置されている。従って、青色光源４（Ｂ）、緑色光源４（Ｇ）、および赤色光源４（Ｒ）から出射された青色光Ｌ（Ｂ）、緑色光Ｌ（Ｇ）および赤色光Ｌ（Ｒ）は、第１側面３１と、第１側面３１に第２方向Ｙで対向する第３側面３３との間等で反射を繰り返しながら第１方向Ｘに進行する間に出射面３０から出射される。なお、特許文献１では、第３側面３３や、第２側面３２と対向する第４側面３４に対して、白色塗料の印刷等によって光散乱パターンを設けることが提案されている。
【先行技術文献】
【特許文献】
【０００４】
【特許文献１】特開２００３−３４８２９９号公報
【発明の概要】
【発明が解決しようとする課題】
【０００５】
しかしながら、特許文献１に記載のライン照明装置においては、図１１に示すように、青色光Ｌ（Ｂ）、緑色光Ｌ（Ｇ）および赤色光Ｌ（Ｒ）が導光体３の内部を進行する際、第１側面３１に最も近い青色光源４（Ｂ）から出射された青色光Ｌ（Ｂ）では、出射された光に強度ムラが発生しやすいという問題点である。具体的には、青色光Ｌ（Ｂ）、緑色光Ｌ（Ｇ）および赤色光Ｌ（Ｒ）に関して、導光体３の内部で最初に第１側面３１で反射し、その後、第３側面３３で反射して導光体３から出射される光線と、最初に第３側面３３で反射して導光体３から出射される光線との間隔Ｄ（Ｂ）、Ｄ（Ｇ）、Ｄ（Ｒ）を比較すると、青色光Ｌ（Ｂ）の間隔Ｄ（Ｂ）が、緑色光Ｌ（Ｇ）の間隔Ｄ（Ｇ）および赤色光Ｌ（Ｒ）の間隔Ｄ（Ｒ）よりかなり狭い。このため、図１２に示すように、青色光Ｌ（Ｂ）では強度ムラが発生しやすい。図１２には、導光体３の第１方向Ｘの中心を０ｍｍとしたとき、導光体３から出射される青色光Ｌ（Ｂ）の第１方向Ｘにおける強度分布を示してある。なお、図１１等を参照して説明した問題は、端面３５に１つの光源４を配置した場合でも、光源４と第１側面３１との距離が短い場合に発生する。
【０００６】
以上の問題点に鑑みて、本発明の課題は、光源から導光体を介して出射される照明光の強度ムラを抑制することのできるライン照明装置、およびライン照明装置を備えた画像読取装置を提供することにある。
【課題を解決するための手段】
【０００７】
上記課題を解決するために、本発明に係るライン照明装置の一態様は、第１方向に延在する複数の側面を備えた導光体と、前記導光体の前記第１方向と交差した端面のうち一方の端面に配置された第１光源と、遮光部材と、を有し、前記導光体は、前記複数の側面のうち、互いに隣り合う第１側面と第２側面との間に前記一方の端面に対して前記第１方向に沿った方向に離間する位置に、前記光源から前記導光体内に入射した光を出射する出射面が配置され、前記導光体は、前記一方の端面と前記出射面とに挟まれた領域に複数のプリズム状の凸部が前記第１方向に沿うように配置されたプリズム形成領域を備え、前記複数のプリズム状の凸部の各々は、それぞれ前記第１側面に対して交差する方向に傾斜した第１斜面と第２斜面とを備え、前記遮光部材は、前記プリズム形成領域と対向する位置に、前記プリズム形成領域に光散乱性の反射面が向くように配置されていることを特徴とする。
【０００８】
本発明では、第１光源から出射された光は、導光体の内部で導光体の側面での反射を繰り返しながら第１方向に進行する間に出射面から出射される。その際、第１側面に近い位置に第１光源が配置されている場合でも、第１光源から出射された光は、導光体の内部において一部がプリズム状の凸部を透過した後、遮光部材の反射面で散乱して再び、導光体の内部に入射する。このため、第１側面に近い第１光源から出射された光であっても、出射面から出射された照明光では強度ムラが発生しにくい。
【０００９】
本発明の別態様において、前記第１斜面および前記第２斜面のうち、前記一方の端面側に位置する第１斜面が前記第１側面と成す角度は、前記第２斜面が前記第１側面と成す角度より小さい態様を採用することができる。例えば、前記第１斜面が前記第１側面と成す第１角度は、２０°から５０°であり、前記第２斜面が前記第１側面と成す第２角度は、９０°から４５°である態様を採用することができる。
【００１０】
本発明の別態様において、前記一方の端面には、前記第１光源に対して前記第１方向と交差する第２方向に沿った前記第１側面とは反対側の位置に第２光源が配置されている態様を採用することができる。
【００１１】
本発明の別態様において、前記一方の端面には、前記第２光源に対して前記第２方向に沿った前記第１側面とは反対側の位置に第３光源が配置されている態様を採用することができる。
【００１２】
本発明の別態様において、前記第１光源、前記第２光源および前記第３光源のいずれか１つは、青色光を出射する青色光源であり、他の１つは緑色光を出射する緑色光源であり、残りの１つは赤色光を出射する赤色光源である態様を採用することができる。
【００１３】
本発明の別態様においては、前記導光体は、前記第１側面と対向する位置に光散乱パターンを備えた第３側面が配置されている態様を採用することができる。かかる態様によれば、光散乱パターンの密度等によって、出射面から出射された照明光の強度ムラを抑制することができる。
【００１４】
本発明の別態様においては、前記導光体を内側に収容するケースを有し、前記ケースには、前記出射面と重なる位置に開口部が設けられ、前記遮光部材は、前記ケースに含まれている態様を採用することができる。かかる態様によれば、遮光部材を設けるために、別の部材を別途、設ける必要がない。
【００１５】
本発明に係るライン照明装置は画像読取装置等に用いられる。この場合、画像読取装置は、前記ライン照明装置から出射された照明光の反射光を検出するセンサーを有する。
【００１６】
本発明に係る画像読取装置の一態様において、前記反射光を前記センサーに導く縮小光学系を有する態様を採用することができる。
【図面の簡単な説明】
【００１７】
【図１】本発明を適用したライン照明装置を備えた画像読取装置の説明図である。
【図２】図１に示す画像読取装置に用いたキャリッジの説明図である。
【図３】図１に示すライン照明装置の要部を示す斜視図である。
【図４】図３に示すライン照明装置におけるケース内部の構成を示す説明図である。
【図５】図４に示す導光体を出射面を通る位置で切断したときの断面図である。
【図６】図３に示すライン照明装置の導光体に設けたプリズム形成領域の周辺の構成を示す説明図である。
【図７】図３に示すライン照明装置の光源から出射された光の光線図である。
【図８】図３に示すライン照明装置におけるプリズム状の凸部の構成と光強度分布との関係を示す説明図である。
【図９】図３に示すライン照明装置におけるプリズム状の凸部の構成と光強度分布との別の関係を示す説明図である。
【図１０】従来のライン照明装置の説明図である。
【図１１】図１１に示すライン照明装置の光源から出射された光の光線図である。
【図１２】図１１に示すライン照明装置における光強度分布を示す説明図である。
【発明を実施するための形態】
【００１８】
以下、本発明の実施の形態を説明する。なお、以下の説明で参照する図においては、各層や各部材を図面上で認識可能な程度の大きさとするため、各部材毎に縮尺を異ならしめてある。また、以下の説明では、図１０、図１１および図１２と共通する部分には同一の符号を付して説明する。
【００１９】
（画像読取装置）
図１は、本発明を適用したライン照明装置２を備えた画像読取装置１００の説明図である。図２は、図１に示す画像読取装置１００に用いたキャリッジ１２０の説明図である。
【００２０】
図１および図２に示す画像読取装置１００は、スキャナーや複写機等として用いられる光学機器であり、フレーム１５０と、フレーム１５０の上面を開閉するカバー１６０とを有している。フレーム１５０の上面の一部は、書類等の媒体Ｍが配置される透光性カバー１１０によって構成されている。フレーム１５０の内部には、副走査方向Ｚに移動可能なキャリッジ１２０が設けられている。キャリッジ１２０には、媒体Ｍに対して、第１方向Ｘに延在するライン状の照明光を透光性カバー１１０を介して照射するライン照明装置２と、光学系１３０と、センサー１４０とが設けられている。従って、ライン照明装置２から媒体Ｍに照明光を照射しながらキャリッジ１２０を副走査方向Ｚに移動させると、媒体Ｍに対する照明光の照射領域が副走査方向Ｚに移動する。その間、媒体Ｍからの反射光（照明光の反射光）をセンサー１４０で検出すれば、媒体Ｍの二次元画像を検出することができる。ここで、光学系１３０は、媒体Ｍからの反射光をセンサー１４０に導光する３つのミラー１３１、１３２、１３３と、ミラー１３１、１３２、１３３を介して導光されてきた反射光をセンサー１４０に集光させるレンズ１３４とを有している。従って、光学系１３０は縮小光学系として構成されており、センサー１４０は、電荷結合素子（ＣＣＤ：Ｃｈａｒｇｅ  Ｃｏｕｐｌｅｄ  Ｄｅｖｉｃｅｓ）によって構成されている。
【００２１】
（ライン照明装置２の構成）
図３は、図１に示すライン照明装置２の要部を示す斜視図である。図４は、図３に示すライン照明装置２におけるケース５内部の構成を示す説明図である。図５は、図４に示す導光体３を出射面３０を通る位置で切断したときの断面図である。
【００２２】
図３、図４および図５に示すように、本形態のライン照明装置２は、第１方向Ｘ（主走査方向）延在する棒状の導光体３と、導光体３の第１方向Ｘの一方側の端面３５に配置された複数の光源４と、導光体３および光源４を内側に収容したケース５とを有している。導光体３において第１方向Ｘに延在する複数の側面のうち、隣り合う第１側面３１と第２側面３２との間には、導光体３内に入射した光源４からの光を出射する出射面３０が設けられている。本形態において、出射面３０は、端面３５から第１方向Ｘで離間する位置に設けられている。
【００２３】
本形態において、導光体３は、透光性の樹脂成形品等から構成されている。導光体３は、第１側面３１と、第１側面３１と隣り合う第２側面３２と、第２側面３２と隣り合う第３側面３３と、第３側面３３と隣り合う第４側面３４とを備えた断面四角形の棒状部材において、第１側面３１と第２側面３２との間に、第１側面３１および第２側面３２に対して傾斜する出射面３０が形成された形状になっている。ここで、第１側面３１と第２側面３２とが直交している。第１側面３１と第３側面３３とは、第２方向Ｙにおいて平行に対向し、第２側面３２と第４側面３４とは、副走査方向Ｚにおいて平行に対向している。
【００２４】
導光体３は、第１方向Ｘの両側に端面３５（第１端面）および端面３６（第２端面）を有しており、かかる２つの端面３５、３６のうち、一方の端面３５に複数の光源４が配置されている。本形態において、導光体３の第２方向Ｙの寸法は、副走査方向Ｚの寸法より大であるため、端面３５は、第２方向Ｙに沿って長辺が延在する長方形である。
【００２５】
複数の光源４は、端面３５において第２方向Ｙにおける第１側面３１からの距離が互いに異なる位置に設けられている。本形態において、複数の光源４は、第１側面３１の側から第２方向Ｙに沿って直線状に配置されている。本形態において、複数の光源４は各々、赤色光Ｌ（Ｒ）を出射する赤色光源４（Ｒ）、緑色光Ｌ（Ｇ）を出射する緑色光源４（Ｇ）、および青色光Ｌ（Ｂ）を出射する青色光源４（Ｂ）であり、第１側面３１の側から第２方向Ｙに沿って、青色光源４（Ｂ）、緑色光源４（Ｇ）および赤色光源４（Ｒ）が順に直線状に配置されている。従って、青色光源４（Ｂ）を第１光源とし、緑色光源４（Ｇ）を第２光源とし、赤色光源４（Ｒ）を第３光源としたとき、端面３５には、第２方向Ｙにおいて第１光源（青色光源４（Ｂ））に対して第１側面３１とは反対側に第２光源（緑色光源４（Ｇ））が配置され、第２方向Ｙにおいて第２光源（緑色光源４（Ｇ））に対して第１側面３１とは反対側に第３光源（赤色光源４（Ｒ））が配置されている。また、複数の光源４はいずれも、発光ダイオードからなる。本形態では、赤色光源４（Ｒ）、緑色光源４（Ｇ）および青色光源４（Ｂ）を順次点灯させて、ライン照明装置２から順次各色の照明光を出射する。出射した照明光は、例えば白黒センサーにて画像信号として取得する。白黒センサーに替えてそれぞれに赤色、緑色および青色のフィルターをかけた複数のカラーセンサーを用いると、赤色光源４（Ｒ）、緑色光源４（Ｇ）および青色光源４（Ｂ）を同時に点灯させて一度に画像信号を取得できる。ただし、一般的にはカラーセンサーは高額であることが多く、白黒センサーを用いる場合が多い。
【００２６】
図３に示すように、ケース５は、第１側面３１に重なる第１側板部５１と、第２側面３２に重なる第２側板部５２と、第３側面３３に重なる第３側板部５３と、第４側面３４に重なる第４側板部５４と、端面３５に重なる第１端板部５５と、端面３６に重なる第２端板部５６とを有しており、第１側板部５１と第２側板部５２との間には、出射面３０と重なる領域に開口部５０が形成されている。本形態においては、出射面３０が端面３６から第１方向Ｘで離間する位置に設けられているため、開口部５０は、第１端板部５５および導光体３の端面３６から第１方向Ｘで離間する位置に設けられている。
【００２７】
（導光体３等の詳細構成）
図６は、図３に示すライン照明装置２の導光体３に設けたプリズム形成領域３８の周辺の構成を示す説明図である。
【００２８】
図３および図６に示すように、導光体３では、第１側面３１において第１方向Ｘで端面３５と出射面３０とに挟まれた領域はプリズム形成領域３８になっている。かかるプリズム形成領域３８では、第１側面３１に対して交差する方向に傾いた第１斜面３８１と第２斜面３８２とが頂部３８３を介して第１方向Ｘで隣り合うプリズム状の凸部３８０が第１方向Ｘに沿って複数形成されている。
【００２９】
ここで、第１斜面３８１および第２斜面３８２のうち、端面３５側に位置する第１斜面３８１が第１側面３１と成す第１角度θａは、第２斜面３８２が第１側面３１と成す第２角度θｂより小さい。本形態では、図８および図１０を参照して後述する結果から、第１角度θａは、２０°から５０°に設定され、第２角度θｂは、９０°から４５°に設定されている。
【００３０】
また、導光体３において、第１側面３１に第２方向Ｙで対向する第３側面３３には、白色塗料の印刷等によって光散乱パターン３７が設けられている。なお、第２側面３２に副走査方向Ｚで対向する第４側面３４にも、第３側面３３と同様、白色塗料の印刷等によって光散乱パターン３７を設けることもある。
【００３１】
さらに、本形態のライン照明装置２において、プリズム形成領域３８と対向する位置には、プリズム形成領域３８に光散乱性の反射面６１を向けた遮光部材６が設けられている。本形態において、遮光部材６は、ケース５に含まれている。より具体的には、遮光部材６は、ケース５の第１側板部５１のうち、導光体３の第１方向Ｘで端面３５と出射面３０とに挟まれた領域に重なる部分からなる。ここで、ケース５では、遮光部材６に相当する部分のみを光散乱性の反射面とした態様、およびケース５の内面全体を光散乱性の反射面とした態様のいずれを採用してもよく、これらのいずれの態様を採用した場合も、プリズム形成領域３８と対向する位置に光散乱性の反射面６１を設けることができる。本形態では、ケース５の内面全体が光散乱性の反射面になっている。かかるケース５は、例えば、金属板に対して光散乱性の反射シートを貼付したものにより構成することができる。
【００３２】
（光線追跡結果）
図７は、図３に示すライン照明装置２の光源４から出射された光の光線図である。図８は、図３に示すライン照明装置２におけるプリズム状の凸部の構成と光強度分布との関係を示す説明図である。図９は、図３に示すライン照明装置２におけるプリズム状の凸部の構成と光強度分布との別の関係を示す説明図である。なお、図８および図９には、導光体３の第１方向Ｘの中心を０ｍｍとしたとき、導光体３から出射される青色光Ｌ（Ｂ）の第１方向Ｘにおける強度分布を示してある。
【００３３】
このように構成したライン照明装置２においては、光源４から出射された光は、導光体３の内部で導光体３の第３側面３３等での反射を繰り返しながら第１方向Ｘに進行する間に出射面３０から出射される。その際、導光体３の端面３５付近では、３つの光源４のうち、第１側面３１に最も近い第１光源である青色光源４（Ｂ）から青色光Ｌ（Ｂ）が出射された際、図７に示すように、青色光Ｌ（Ｂ）の一部は、導光体３の内部において第２斜面３８２を透過した後、遮光部材６の反射面６１で散乱して再び、導光体３の内部に指向性のない光として入射する。また、青色光Ｌ（Ｂ）の他の一部は、導光体３の内部において第１斜面３８１で反射した後、第２斜面３８２を透過し、その後、遮光部材６の反射面６１で散乱して再び、導光体３に内部に指向性のない光として入射する。このため、第１側面３１に最も近い青色光源４（Ｂ）から出射された青色光Ｌ（Ｂ）であっても、図８および図９に示すように、図１１等を参照して説明したような強度ムラが発生しにくい。
【００３４】
図８には、第２角度θｂを８５°とし、第１角度θａを１５°、２０°、２５°、３０°、４０°、５０°に変化させた場合の光強度分布を示してある。図８に示す結果、およびさらに角度を変えた検討の結果、第１角度θａが１５°以下である場合、第１斜面３８１での反射が少なすぎて強度ムラが発生する傾向にある。また、第１角度θａが５０°を超える場合、第２斜面３８２での反射が多すぎて強度ムラが発生する傾向にある。それ故、第１角度θａは２０°から５０°に設定されることが好ましい。但し、第１角度θａが５０°である場合、−１００ｍｍ付近で強度が低下しているため、第１角度θａは２０°から４０°に設定されることがさらに好ましい。
【００３５】
図９には、第１角度θａを３０°とし、第２角度θｂを４５°、３５°に変化させた場合の光強度分布を示してある。図９に示す結果、およびさらに角度を変えた検討の結果、第２角度θｂが４５°未満である場合、第２斜面３８２での反射が多すぎて強度ムラが発生する傾向にある。また、第２角度θｂが９０°を超える場合、第２斜面３８２の形成が難しくなる。それ故、第２角度θｂは９０°から４５°に設定されることが好ましい。但し、成形上の制約等を考慮した場合、第２角度θｂは８５°から４５°、さらに８５°から７０°に設定されることがさらに好ましい。
【００３６】
（本形態の主な効果）
以上説明したように、本形態のライン照明装置２において、光源４から出射された光は、導光体３の内部で導光体３の第３側面３３等での反射を繰り返しながら第１方向Ｘに進行する間に出射面３０から出射される。その際、複数の光源４のうち、第１側面３１に最も近い第１光源（青色光源４（Ｒ））から出射された光は、導光体３の内部において一部がプリズム状の凸部３８０を透過した後、遮光部材６の反射面６１で散乱して再び、導光体３の内部に入射する。このため、第１側面３１に最も近い光源４から出射された光であっても、出射面３０から出射された照明光では強度ムラが発生しにくい。
【００３７】
また、本形態では、導光体３において第１側面３１と対向する第３側面３３等には光散乱パターン３７が設けられているため、光散乱パターン３７の密度等によって、出射面３０から出射された照明光の強度ムラを抑制することができる。
また、本形態では、ケース５のうち、プリズム形成領域３８と重なる部分によって遮光部材６が構成されているため、遮光部材６を設けるために、別の部材を別途、設ける必要がない。
【００３８】
（他の実施の形態）
上記実施の形態では、第１側面３１の側から、青色光源４（Ｂ）、緑色光源４（Ｇ）および赤色光源４（Ｒ）が順に配置されていたが、他の順に配置されている場合に本発明を適用してもよい。いずれも場合も、第１側面３１に最も近い光源が第１光源であり、次に第１側面３１に近い光源が第２光源であり、次に第１側面３１に近い光源が第３光源となる。
【００３９】
上記実施の形態では、青色光源４（Ｂ）、緑色光源４（Ｇ）および赤色光源４（Ｒ）を同時に点灯させたが、青色光源４（Ｂ）、緑色光源４（Ｇ）および赤色光源４（Ｒ）を順次点灯させる場合に本発明を適用してもよい。
【００４０】
また、上記実施の形態では、複数の光源４が赤色光源４（Ｒ）、緑色光源４（Ｇ）および青色光源４（Ｂ）であったが、複数の光源４のいずれもが白色光源である場合に本発明を適用してもよい。
【００４１】
また、上記実施の形態では、第１光源、第２光源および第３光源からなる３つの光源４が端面３５に配置されていたが、第１光源および第２光源からなる２つの光源４が端面３５に配置されている場合や、第１光源のみが端面３５に配置されている場合に本発明を適用してもよい。また、光源４を配置する位置は端面３５の面内であれば適宜最適な位置を選択して配置してもよい。
【符号の説明】
【００４２】
２…ライン照明装置、３…導光体、４…光源、４（Ｂ）…青色光源（第１光源）、４（Ｇ）…緑色光源（第２光源）、４（Ｒ）…赤色光源（第３光源）、５…ケース、６…遮光部材、３０…出射面、３１…第１側面、３２…第２側面、３３…第３側面、３４…第４側面、３５、３６…端面、３７…光散乱パターン、３８…プリズム形成領域、５０…開口部、５１…第１側板部、５２…第２側板部、５３…第３側板部、５４…第４側板部、５５…第１端板部、５６…第２端板部、６１…反射面、１００…画像読取装置、１１０…透光性カバー、１２０…キャリッジ、１３０…光学系、１３１、１３２、１３３…ミラー、１３４…レンズ、１４０…センサー、１５０…フレーム、１６０…カバー、３８０…凸部、３８１…第１斜面、３８２…第２斜面、３８３…頂部、Ｌ（Ｂ）…青色光、Ｌ（Ｇ）…緑色光、Ｌ（Ｒ）…赤色光、Ｍ…媒体、Ｘ…第１方向、Ｙ…第２方向、Ｚ…副走査方向、θａ…第１角度、θｂ…第２角度。
【図１】
2018046386.tif 000003
【図２】
2018046386.tif 000004
【図３】
2018046386.tif 000005
【図４】
2018046386.tif 000006
【図５】
2018046386.tif 000007
【図６】
2018046386.tif 000008
【図７】
2018046386.tif 000009
【図８】
2018046386.tif 000010
【図９】
2018046386.tif 000011
【図１０】
2018046386.tif 000012
【図１１】
2018046386.tif 000013
【図１２】
2018046386.tif 000014